(57)【要約】【課題】被洗浄物の取り出しが容易で、扉体の開閉動作時に、上扉に付着した水滴が本体の背面に飛ぶことのない、清潔で安全な食器洗い機を提供する。【解決手段】本体１に設けられ前面から上面にかけて開口する開口部４を有する洗浄槽２と、被洗浄物１９を収納する食器カゴ３と、開口部４を開閉する扉体５とを備え、本体１の上部形状を前面から背面にかけて上方へ膨出する略円弧状に形成し、扉体５は、開口部４の上面を本体１の上部の外側へ開く上扉６と、開口部４の前面を下方へ開く下扉７とで構成し、上扉６の先端部に、水滴を受ける水受け体（図示せず）を配設したもので、洗浄槽２上部の開口が大きくなり、本体１の上部からの被洗浄物１９のセットと取り出しが容易で、また、扉体５を開けた時、上扉６に付着している水滴が、本体１の背面に飛んで背面の壁や、コンセント部分（図示せず）に飛んだりするのを防止することができる。【選択図】図１
2007282749.tif 000002
【特許請求の範囲】
【請求項１】
本体と、前記本体に設けられ前面から上面にかけて開口する開口部を有する洗浄槽と、食器等の被洗浄物を収納すると共に前記洗浄槽内に収容される食器カゴと、前記開口部を開閉する扉体とを備え、前記本体の上部形状を前面から背面にかけて上方へ膨出する略円弧状に形成し、前記扉体は、前記開口部の上面を前記本体上部の外側へ開く上扉と、前記開口部の前面を下方へ開く下扉とで構成すると共に、前記上扉の先端部に、前記上扉の内壁に付着した水滴を受ける水受け体を配設した食器洗い機。
【請求項２】
水受け体を軟質材で形成した請求項１に記載の食器洗い機。
【請求項３】
水受け体を硬質材で形成した請求項１に記載の食器洗い機。
【請求項４】
水受け体を、上扉に一体に形成した請求項１〜３のいずれか１項に記載の食器洗い機。
【発明の詳細な説明】
【技術分野】
【０００１】
本発明は、洗浄水を噴射して食器等の洗浄を行う食器洗い機に関するものである。
【背景技術】
【０００２】
従来のこの種の食器洗い機は、図７に示すように構成されていた。以下、その構成について説明する。
【０００３】
図７において、従来の食器洗い機は、食器カゴ１０５への食器等１０６のセットと取り出しを容易にするために、本体１０１に設けられた開口部１０２は、本体１０１の前面から上面にかけてその上部が後方へ傾斜するように設けられている。前記開口部１０２を開閉する扉体１０７は、前記本体１０１上部の外側へ開く上扉１０３と、前記開口部１０２を下方へ開く下扉１０４で構成されている。前記本体１０１の前面上部の形状は上方へ膨出する略円弧状に形成されている。前記本体１０１内には、食器等１０６をセットする食器カゴ１０５が、開かれた前記開口部１０２から本体１０１の前方に引き出し可能に収容されている（例えば、特許文献１参照）。
【特許文献１】特開２００２−２１９０８３号公報
【発明の開示】
【発明が解決しようとする課題】
【０００４】
しかしながら、上記従来の食器洗い機の構成では、本体１０１の上部の開口がほとんどないため、扉体１０７の開成時に上扉１０３が開口部１０２を少しでも覆わないよう突出量を少なくするように構成していた。扉体１０７の開成時に、上扉１０３の突出量を少なくすることは、すなわち下扉１０４が長くなることであり、扉体１０７の開成時の下扉１０４の本体１０１の前方への飛び出し量が多くなる。そのため、台所のシンクサイドに食器洗い機を設置する場合、本体１０１は置けるが、扉体１０７の開成時に、水道栓（図示せず）に接触するため食器カゴ１０５を引き出しづらくなり、食器等１０６のセット性を著しく損なうという課題があった。
【０００５】
逆に、上扉１０３の長さを長くすると、扉体１０７を開いた時に、開口部１０２の上端部を上扉１０３が覆うために、特に食器カゴ１０５の上段への食器等１０６のセットと取り出しが行い難くなるという課題に加え、扉体１０７の開閉動作により水滴が背面に飛び散るという課題があった。
【０００６】
本発明は、上記従来の課題を解決するもので、食器カゴへの食器等の被洗浄物のセット、取り出しを容易にして、被洗浄物のセット性を格段に向上させると共に、洗浄途中等に扉体を開けた時に、上扉に付着している水滴が、上扉が全開状態で静止する時の衝撃により、略円弧状の本体の背面に飛んで、背面の壁に付着したり、本体背面部にあるコンセント部分に飛ぶのを防止し、シンクまわりを常に清潔に保つことができるとともに、漏電などの危険性がなく、安全性を向上させた食器洗い機を提供することを目的としている。
【課題を解決するための手段】
【０００７】
上記従来の課題を解決するために、本発明の食器洗い機は、本体と、前記本体に設けられ前面から上面にかけて開口する開口部を有する洗浄槽と、食器等の被洗浄物を収納すると共に前記洗浄槽内に収容される食器カゴと、前記開口部を開閉する扉体とを備え、前記本体の上部形状を前面から背面にかけて上方へ膨出する略円弧状に形成し、前記扉体は、前記開口部の上面を前記本体上部の外側へ開く上扉と、前記開口部の前面を下方へ開く下扉とで構成すると共に、前記上扉の先端部に、前記上扉の内壁に付着した水滴を受ける水受け体を配設したもので、洗浄槽上部の開口を大きくとることができ、本体上部からの食器カゴへの被洗浄物のセット、取り出しが容易になり、被洗浄物のセット性を格段に向上させると共に、洗浄途中等に扉体を開けた時に、上扉に付着している水滴が、上扉が全開状態で静止する時の衝撃により、略円弧状の本体の背面に飛んで、背面の壁に付着したり、本体背面部にあるコンセント部分に飛ぶのを防止し、シンクまわりを常に清潔に保つことができるとともに、漏電などの危険性がなく、安全性を向上させることができる。
【発明の効果】
【０００８】
本発明の食器洗い機は、洗浄槽上部の開口を大きくとることができ、本体上部からの食器カゴへの被洗浄物のセット、取り出しが容易になり、被洗浄物のセット性を格段に向上させると共に、洗浄途中等に扉体を開けた時に、上扉に付着している水滴が、上扉が全開状態で静止する時の衝撃により、略円弧状の本体の背面に飛んで、背面の壁に付着したり、本体背面部にあるコンセント部分に飛ぶのを防止し、シンクまわりを常に清潔に保つことができるとともに、漏電などの危険性がなく、安全性を向上させることができる。
【発明を実施するための最良の形態】
【０００９】
第１の発明は、本体と、前記本体に設けられ前面から上面にかけて開口する開口部を有する洗浄槽と、食器等の被洗浄物を収納すると共に前記洗浄槽内に収容される食器カゴと、前記開口部を開閉する扉体とを備え、前記本体の上部形状を前面から背面にかけて上方へ膨出する略円弧状に形成し、前記扉体は、前記開口部の上面を前記本体上部の外側へ開く上扉と、前記開口部の前面を下方へ開く下扉とで構成すると共に、前記上扉の先端部に、前記上扉の内壁に付着した水滴を受ける水受け体を配設したもので、洗浄槽上部の開口を大きくとることができ、本体上部からの食器カゴへの被洗浄物のセット、取り出しが容易になり、被洗浄物のセット性を格段に向上させると共に、洗浄途中等に扉体を開けた時に、上扉に付着している水滴が、上扉が全開状態で静止する時の衝撃により、略円弧状の本体の背面に飛んで、背面の壁に付着したり、本体背面部にあるコンセント部分に飛ぶのを防止し、シンクまわりを常に清潔に保つことができるとともに、漏電などの危険性がなく、安全性を向上させることができる。
【００１０】
第２の発明は、特に、第１の発明の水受け体を軟質材で形成したもので、扉体と本体との分割の隙間を狭くすることができると共に、水受け体が本体と当接しても、扉体の開閉動作には影響なく、外観の見栄えもよくすることができる。
【００１１】
第３の発明は、特に、第１の発明の水受け体を硬質材で形成したもので、扉体の開閉時に上扉と本体が干渉しない隙間を設計的に確保することができるようになり、それにより上扉と本体との隙間から手を入れられないようにして、安全性の向上を図ることができる。
【００１２】
第４の発明は、特に、第１〜３のいずれか一つの発明の水受け体を、上扉に一体に形成したもので、蓋体を構成する部品点数が少なくなり、コストダウンを図れるとともに、嵌合部からの水の浸入や部品の嵌合強度などの品質低下の要因となるものを省くことができるので、品質向上を図ることができる。
【００１３】
以下、本発明の実施の形態について、図面を参照しながら説明する。なお、本実施の形態によって本発明が限定されるものではない。
【００１４】
（実施の形態１）
本発明の第１の実施の形態における食器洗い機について、図１〜５を用いて説明する。
【００１５】
図１は、本実施の形態における食器洗い機の断面図である。
【００１６】
図１において、１は、食器洗い機の本体であり、この本体１を外側方から見たときの上部の外郭形状は、前面１ａから背面１ｂにかけて上方へ膨出する略円弧状に形成した円弧状部１ｃを有している。また、本体１の前面形状は略平面で形成した平面部１ｄを有している。２は、食器等の被洗浄物１９を収納する食器カゴ３を収容する洗浄槽で本体１に内装されている。
【００１７】
洗浄槽２の上部形状は、本体１上部の円弧状部１ｃの内面に沿うように上面から背面にかけて上方へ膨出する略円弧状に形成し、前面から上面にかけて開口する開口部４を設けるとともに、この開口部４を閉塞する開閉自在な扉体５を備えている。
【００１８】
扉体５は、洗浄槽２の上面に設けられた開口部４を、本体１上部の外側へ開く上扉６と、前記本体１の前面に設けられた開口部４を下方へ開く下扉７で構成されており、上扉６は洗浄槽２の内部が視認できるように窓８を備えている。
【００１９】
上扉６の縦断面形状は、本体１の上面形状と同じく外方へ膨出する略円弧状に形成しており、本体１上部の円弧状部１ｃに沿うように移動して開口部４を開閉する。食器カゴ３は、上段カゴ９と下段カゴ１０の上下二段で構成されており、上段カゴ９は、下段カゴ１０と構成部材を共用している。
【００２０】
そして、食器カゴ３は、側面に摺動部１１を有し、洗浄槽２の内側面に設けた支持部１２に対して前後方向に摺動可能に支持されており、下扉７を開いた時に下扉７上に引き出し可能である。１３は、洗浄ポンプ１４により加圧した洗浄水を被洗浄物１９に向けて噴射する洗浄ノズルである。洗浄槽２の下部には、洗浄水を加熱するヒータ１５を配置している。１６は、洗浄槽２の下部に設けられた制御装置であり、洗浄ポンプ１４やヒータ１５等を制御するものである。
【００２１】
また、図２〜図４に示すように、開口部４は、本体１の前面１ａと、前面１ａから上面にかけて外方へ膨らむように設けた円弧状部１ｃを含むように形成されており、開口部４の上端部３９は、本体１の前面から上方へ膨出する略円弧状の本体１上面の頂部１７まで開口する構成としており、本体１の上部面積の前面１ａ側の略半分が開口している（線分Ｃは、頂部１７上の線で、開口部４の上端部３９はその近傍に位置する）。本体１の前面１ａから上面にかけて設けられた開口部４を覆う上扉６と下扉７の係合部１８は、平面部１ｄに設けており、上扉６側に設けたシール部材２１と、下扉７側に設けたシール受け部２２によって、上扉６と下扉７をシールする構成が形成される。
【００２２】
上扉６および下扉７には、それぞれ上扉支持部２３、下扉支持部２４が具備されており、上扉支持部２３、下扉支持部２４のそれぞれは、洗浄槽２の側面に設けられた上扉回動軸２５、下扉回動軸２６により回動自在に軸支されている。上扉支持部２３上には移動軸２７が設けられるとともに、洗浄槽２の側面には移動軸２７が移動する移動溝２８が設けられており、移動軸２７は、移動溝２８に対して回動自在に移動する。上扉６と下扉７は、第１の連動部材２９と第２の連動部材３０によって連結され、下扉７の下方への回動に連動して上扉６も上方へ回動する構成としている。
【００２３】
第１の連動部材２９の一端は、下扉７に固定され、他端に連動部材間回動軸３１を設け、第２の連動部材３０の一端に設けられた連動部材間回動穴３２との間で回動自在に軸支されている。第２の連動部材３０の他端に設けられた上扉連動穴３３は、上扉支持部２３に設けられた上扉連動回動軸３４との間で回動自在に軸支されている。開口部４を開いた時の扉体５の位置規制を行うために、第２の連動部材３０にストッパー部３５を設け、このストッパー部３５が当接するストッパー受け部３６を本体１の側面に設けている。
【００２４】
上扉支持部２３は、上扉６を閉じたときに上扉６の側面に設けられたカバー３７により覆われて収納されるように構成している。上扉支持部２３、第１の連動部材２９、第２の連動部材３０、移動溝２８など、扉体５を支持し回動させる機構部品は、本体１の側部の両側に設けられており本体側面ボディ３８により覆われるものである。また、上扉支持部２３は、扉体５の開口動作終了時に本体１の上方へ膨出する円弧状部１ｃと交差する位置（点Ｄ）が、開口部４の上端部３９より後方になるように構成している。
【００２５】
次に、上記構成における扉体５の動作について説明する。
【００２６】
上扉６および下扉７は、連動構成を有するため、下扉回動軸２６を中心に下扉７を矢印イ方向へ下方に回動操作することにより、上扉６もこれに連動して矢印ロ方向へ回動し開口部４が開かれる。また、開口部４を開いた時、上扉６は、上扉回動軸２５を中心に本体１の後方へ移動するが、移動終了時点では上扉支持部２３が開口部４の上端部３９より後方まで移動した時点でストッパー部３５がストッパー受け部３６に接触して上扉６および下扉７は停止し、それ以上移動することはない。
【００２７】
次に、上記実施の形態における食器洗い機の作用について説明する。
【００２８】
食器洗い機を設置する場合、キッチンの側壁（図示せず）に沿って、食器洗い機の正面を手前に向けて置く場合と、側面を手前に向けて置く場合がある。最近のキッチンは、浴槽や給湯器などの給湯設備を集中的に制御するコントローラ（図示せず）をキッチンの側壁に設置しているのが一般的である。食器洗い機をキッチンに設置する場合、食器洗い機の本体１の高さより高い位置にコントローラが設置されている場合は問題ないが、コントローラが少し低く設置されている場合は、コントローラに設けられた表示部の視認性やスイッチ類の操作性を確保するために、食器洗い機を壁面から離して設置しなければならず、キッチンでの作業性を損なう。そして、コントローラがさらに低く設置されている場合は、食器洗い機を設置することができない。
【００２９】
しかしながら、本実施の形態によれば、本体１の上部形状を前面から背面にかけて上方へ膨出する略円弧状に形成しているため、コントローラが低く設置されている場合でも、コントローラに接触することなく本体１を壁面に近づけて設置できる。また、使用者は上方から本体１越しにコントローラを視認することができるため、表示部の視認性が得られるとともに、スイッチ類の操作性も確保される。
【００３０】
このように、本実施の形態によれば、浴槽や給湯器などのコントローラを既設したキッチンにおいても、コントローラの視認性および操作性を確保し、設置性を高めることができる。
【００３１】
また、本体１の上部形状および上扉６の上部形状を上方へ膨出する略円弧状に形成し、上扉６を、本体１上部の円弧状部１ｃに沿うように移動して、洗浄槽２の前面から上面にかけて設けられた開口部４を開閉する構成としたため、開口部４を開いた時の本体１の高さを低く抑えることができ、吊戸棚等が既設しているなど、設置空間の高さが低い場所への設置を容易することができる。
【００３２】
また、従来の食器洗い機では、洗浄槽の背面から上面にかけての本体の側方から見た形状が略直角になっているので、洗浄時に洗浄槽の背面から上面へ向けて流れる洗浄水が上面に届きにくく、上面から食器に降り注ぐ洗浄水が少ないため、被洗浄物１９の表面に付着した汚れの洗浄性能が低いが、本実施の形態によれば、洗浄槽２上面への洗浄水量が増加するため、上面から被洗浄物１９に降り注ぐ洗浄水が多くなり、被洗浄物１９の表面に付着した汚れを確実に洗い流すことができる。
【００３３】
また、開口部４を、本体１の前面１ａと、前面１ａから上面にかけて外方へ膨らむように設けた円弧状部１ｃを含むように形成したことにより、食器カゴ３への被洗浄物１９のセットと取り出しを容易にして、被洗浄物１９のセット性が向上するとともに、浴槽や給湯器等のコントローラを既設したキッチンへの設置が容易になる。
【００３４】
また、本体１の上面に設けられた開口部４の上端部３９を、上方へ膨出する円弧状部１ｃの頂部１７の近傍に位置するように形成したことにより、本体１の上部面積の略半分を開口させる構成とすることができる。このため、上段カゴ９の奥までの視野が広がるとともに、被洗浄物１９の出し入れを容易に行うことができる。特に、皿類の重心と上方へ膨出する円弧状部１ｃの中心の本体１前面からの距離をほぼ等しくなるように食器カゴ３を構成しているため、大皿等は洗浄槽２の開口部４の縁に接触することなく容易に出し入れできる。
【００３５】
このように本実施の形態によれば、本体１上面の前面側の略半分までを開口部４とすることで、食器カゴ３への被洗浄物１９のセットと取り出しを容易にすることができ、被洗浄物１９のセット性を向上させることができる。
【００３６】
また、開口部４は、本体１の前面と上面を開放する構成のため、この開口部４を覆う扉体５は、同程度の本体寸法の従来の食器洗い機より上下方向に長くなる。このため、一枚扉体で上開き構成の場合は、扉体が邪魔になり食器の取り出しができない。また、一枚扉体で下開き構成の場合は、正面置きであれば扉体が本体から手前に開かれて、キッチンカウンタ上の調理スペースがなくなり、縦置きであれば、水道栓に扉体が当たって扉を完全に開口することができなくなる。
【００３７】
しかしながら、本実施の形態によれば、扉体５を、上扉６と下扉７の二枚扉で構成しており、本体１の前面から上面にかけて設けられた開口部４の平面部１ｄに、扉体５の分割位置を設けて係合部１８を構成することにより、開口部４を開いた時の下扉７の本体１前方への突出量を少なくして、本体１設置時の本体１前方の設置奥行き寸法を小さくすることができ、水道栓などが本体１の近傍に存在する場合でも、本体１の設置性を向上させることができる。
【００３８】
また、上扉支持部２３は、扉体５の開口動作終了時に本体１の上方へ膨出する円弧状部１ｃと交差する位置（点Ｄ）が、開口部４の上端部３９より後方になるように構成している。狭い台所のシンクサイドに食器洗い機を設置する場合、本体１の開口部４を使用者の対面に置く正面置きよりも、台所の右あるいは左のシンクサイドに縦置き設置される場合の方が多い。この縦置き設置の場合、扉体５を開いて食器等の被洗浄物１９を出し入れするときは、開口部４の斜め前方から行うが、本実施の形態における上扉支持部２３は、上扉６を閉じたときにカバー３７内に収容されるように上方へ膨出する略円弧形状に形成されており、上扉６を開いたときは、上扉支持部２３が上方へ膨出する円弧状部１ｃと交差する位置より後方へと変位し、上扉支持部２３が開口部４を妨げない構成のため、視界を遮られることがなく、被洗浄物１９のセット性を向上させることができる。
【００３９】
また、上扉６に上扉支持部２３を収納するカバー３７を設け、扉体５を閉じた時に上扉支持部２３がカバー３７内に収納されるため、上扉支持部２３と上扉回動軸２５が本体１外に露出せず、埃やごみ等の異物が上扉回動軸２５にかみこんだり、堆積することを防ぐことができ、扉体５を常に円滑に開閉することができる。
【００４０】
また、移動軸２７と移動溝２８も、本体側面ボディ３８によって本体１外に露出しない構成としているので、埃やごみ等の異物が移動軸２７に付着したり移動溝２８内に入り込むのを防ぐことができる。
【００４１】
また、下扉７の回動に連動して上扉６も回動する構成のため、扉体５の操作性および使い勝手を向上させることができる。
【００４２】
また、本実施の形態では、図５に示すように、上扉６の先端部に、爪嵌合あるいは挟み込みや接着等で水受け体４０を取り付けたもので、洗浄途中等に略円弧状の扉体５の開閉動作を行った時、上扉６の内壁に付着した水滴４２が、上扉６が全開状態で止まるときの衝撃により、上扉６から本体１の背面方向に飛び散るが、その飛び散る水滴４２を、前記水受け体４０で受け止めるようにしている。これにより、背面の壁に水滴４２が付着したり、本体１の背面部にあるコンセント部分に飛ぶことを防止できるので、シンク５０のまわりを常に清潔に保つことができるとともに、漏電などの危険性をなくし安全性を向上させることができる。また、水受け体４０は、開口部４を覆う部分より上面に配置することにより、扉体５に付着した水滴４２の飛散を防止する効果が一番大きくなる。
【００４３】
また、上記構成において、上扉６と本体１との上面の隙間４１を少なくしたい場合、水受け体４０を軟質材で形成することで、扉体５の開閉動作により本体１と当接しても、扉体５の開閉動作には、影響なく外観の見栄えをよくすることができる。
【００４４】
また、水受け体４０を硬質材で形成するようにし、開閉動作時に上扉６と本体１が干渉しない隙間４１を設計的に確保すれば、扉体５の開閉動作に影響することなく、上扉６と本体１との隙間４１に手を入れ、上扉６の先端部を無理やり引っ張られ、不安全モードになることを防止することが可能となり安全性の向上を図ることができる。
【００４５】
（実施の形態２）
図６は、本発明の第２の実施の形態における食器洗い機の上扉の部分断面図である。なお、上記第１の実施の形態における食器洗い機と同一部分については、同一符号を付してその説明を省略する。
【００４６】
本実施の形態は、図６に示すように、水受け体４０を、上扉６に一体に形成したもので、上扉６を構成する部品点数を少なくして、コストダウンを図るとともに、嵌合部からの水の浸入や部品の嵌合強度などの品質低下の要因となるものを省くことができるので、品質向上を図ることができる。
【産業上の利用可能性】
【００４７】
以上のように、本発明にかかる食器洗い機は、洗浄槽上部の開口を大きくとることができ、本体上部からの食器カゴへの被洗浄物のセット、取り出しが容易になり、被洗浄物のセット性を格段に向上させると共に、洗浄途中等に扉体を開けた時に、上扉に付着している水滴が、上扉が全開状態で静止する時の衝撃により、略円弧状の本体の背面に飛んで、背面の壁に付着したり、本体背面部にあるコンセント部分に飛ぶのを防止し、シンクまわりを常に清潔に保つことができるとともに、漏電などの危険性がなく、安全性を向上させることができるもので、家庭用、業務用の各種食器洗い機や洗浄機に適用できる。
【図面の簡単な説明】
【００４８】
【図１】本発明の実施の形態１における食器洗い機の断面図
【図２】同食器洗い機の扉の開閉構成を示す側面図
【図３】同食器洗い機の開口部を開いた時の側面図
【図４】同食器洗い機の側面図
【図５】（ａ）同食器洗い機の上部断面図（上扉を閉じた状態）、（ｂ）同食器洗い機の上部断面図（上扉を開いた状態）
【図６】本発明の実施の形態２における食器洗い機の上扉の部分断面図
【図７】従来の食器洗い機の側面図
【符号の説明】
【００４９】
１    本体
１ａ  前面
１ｂ  背面
１ｃ  円弧状部
２    洗浄槽
３    食器カゴ
４    開口部
５    扉体
６    上扉
７    下扉
１７  頂部
１８  係合部
１９  被洗浄物
２３  上扉支持部
３７  カバー
３９  上端部
４０  水受け体
【図１】
2007282749.tif 000003
【図２】
2007282749.tif 000004
【図３】
2007282749.tif 000005
【図４】
2007282749.tif 000006
【図５】
2007282749.tif 000007
【図６】
2007282749.tif 000008
【図７】
2007282749.tif 000009